(57)【要約】【課題】  ビルなどの外壁となるガラス壁において、接続するガラス間の水密シールを図るガスケットを有効に利用して構成を簡素化しながら、ガラス壁の屋内側の結露水を良好に排水する。【解決手段】  ガラス１の端縁に沿設している水密シール用のガスケット２の外面に当接シール面３を形成し、当接シール面３にガスケット２の全長にわたって凹溝４を形成し、接続するガラス１、１間のガスケット２、２の当接シール面３、３が圧接されて対向する凹溝４、４にて排水溝５が形成され、一方のガスケット２の屋内面より排水溝５へと貫通してガラス１の屋内面側の結露水を排水溝５に導入する導入路６を形成し、排水溝５に導入された結露水を外部に排水する排水手段７を排水溝５に連通している。【選択図】        図１
2005113378.tif 000002
【特許請求の範囲】
【請求項１】
ガラスの端縁に沿設している水密シール用のガスケットの外面に当接シール面を形成し、当接シール面にガスケットの全長にわたって凹溝を形成し、接続するガラス間のガスケットの当接シール面が圧接されて対向する凹溝にて排水溝が形成され、一方のガスケットの屋内面より排水溝へと貫通してガラスの屋内面側の結露水を排水溝に導入する導入路を形成し、排水溝に導入された結露水を外部に排水する排水手段を排水溝に連通していることを特徴とするガラス壁の結露水の排水構造。
【請求項２】
ガラスの外周に沿設している環状のガスケットの外面に当接シール面を形成し、当接シール面にガスケットの全長にわたる凹溝を形成し、上下に接続するガラス間のガスケットの当接シール面が圧接されて上下に対向する凹溝にて横の排水溝が形成され、左右に接続するガラス間のガスケットの当接シール面が圧接されて左右に対向する凹溝にて上記横の排水溝に連通する縦の排水溝が形成されていることを特徴とする請求項１記載のガラス壁の結露水の排水構造。
【請求項３】
ガスケットの当接シール面に形成した凹溝の屋内外方向の両側部にガスケットに比べて水密シール性の高い止水材を設けていることを特徴とする請求項１又は２記載のガラス壁の結露水の排水構造。
【請求項４】
ガラスが上下及び左右に複数枚配設され、建物１階のガラスの下辺のガスケットの当接シール面を建物１階の開口枠の下横枠に面接させ、当接シール面に形成した凹溝の長さ方向における一部分と対向する下横枠部分に外部への排水手段となる水抜き孔を形成していることを特徴とする請求項２又は３記載のガラス壁の結露水の排水構造。
【請求項５】
ガスケットは、ガラスの端面と端部表面を覆って断面が略Ｌ型で環状となる外部ガスケットと、ガラスの端部内面を覆って環状となる内部ガスケットとで構成し、外部ガスケットをガラスの端部表面に当接させて外部ガスケットを開口枠に保持し、開口枠とガラスの端部内面との間に内部ガスケットを介装して開口枠にガラスを内外部ガスケットにて保持していることを特徴とする請求項２又は３記載のガラス壁の結露水の排水構造。
【請求項６】
ガラスの下辺のガスケットの内部ガスケットと開口枠の下横枠の上面部にて結露水溜まりを形成していることを特徴とする請求項５記載のガラス壁の結露水の排水構造。
【発明の詳細な説明】
【技術分野】
【０００１】
本発明は、ガラス壁の結露水の排水構造に関し、詳しくは、ビルなどの外壁となるガラス壁において、接続するガラス間の水密シールを図るガスケットを有効に利用してガラス壁の屋内側の結露水を良好に排水しようとする技術に係るものである。
【背景技術】
【０００２】
従来、例えば、ビルなどの外壁となるガラス壁においては、ガスケットを縦枠や横枠のような構造材に保持させ、ガラスをガスケットの嵌合溝に嵌入してガラスを上下及び左右に接続するものである（例えば、特許文献１）。
【０００３】
このような特許文献１に示されるビルの外壁のようなガラス壁にあっては、ガラスはガスケットの嵌合溝に嵌入していて、ガラスの接続箇所における水密シール性は高めることができるが、ガラスの内面に結露した結露水が流下して横枠などに溜まり、ごみが付着するなどして汚れの原因になるなどという問題がある。
【特許文献１】特開平８−３０３１２７号公報
【発明の開示】
【発明が解決しようとする課題】
【０００４】
本発明はこのような問題に鑑みて発明したものであって、ビルなどの外壁となるガラス壁において、接続するガラス間の水密シールを図るガスケットを有効に利用して構成を簡素化しながら、ガラス壁の屋内側の結露水を良好に排水することができるガラス壁の結露水の排水構造を提供することを課題とするものである。
【課題を解決するための手段】
【０００５】
請求項１の発明においは、ガラス１の端縁に沿設している水密シール用のガスケット２の外面に当接シール面３を形成し、当接シール面３にガスケット２の全長にわたって凹溝４を形成し、接続するガラス１、１間のガスケット２、２の当接シール面３、３が圧接されて対向する凹溝４、４にて排水溝５が形成され、一方のガスケット２の屋内面より排水溝５へと貫通してガラス１の屋内面側の結露水を排水溝５に導入する導入路６を形成し、排水溝５に導入された結露水を外部に排水する排水手段７を排水溝５に連通していることを特徴とするものである。
このような構成によれば、ガラス１の屋内面側に生じた結露水はガスケット２に形成した導入路６よりガスケット２、２の当接シール面３、３間の排水溝５へと導入されるのであり、排水溝５より排水手段７をへて外部に排水することができるのであり、接続するガラス１、１間の水密シールを図るガスケット２、２を有効に利用して、ガラス壁の屋内側の結露水を良好に排水することができる。
請求項２の発明においは、請求項１の構成に加えて、ガラス１の外周に沿設している環状のガスケット２の外面に当接シール面３を形成し、当接シール面３にガスケット２の全長にわたる凹溝４を形成し、上下に接続するガラス１、１間のガスケット２、２の当接シール面３、３が圧接されて上下に対向する凹溝４、４にて横の排水溝５が形成され、左右に接続するガラス１、１間のガスケット２、２の当接シール面３、３が圧接されて左右に対向する凹溝４、４にて上記横の排水溝５に連通する縦の排水溝５が形成されていることを特徴とするものである。
このような構成によれば、請求項１の作用効果に加えて、例えば、ビルなどのガラス壁において上下左右に多数枚配設されるガラス１…間のガスケット２…の内部には縦横に排水溝５…を連通して形成することができるのであり、ガラス壁の全域における結露水の排水をシステム的に円滑に排水することができる。
請求項３の発明においは、請求項１又は２の構成に加えて、ガスケット２の当接シール面３に形成した凹溝４の屋内外方向の両側部にガスケット２に比べて水密シール性の高い止水材８を設けていることを特徴とするものである。
このような構成によれば、請求項１又は２の作用効果に加えて、排水溝５の屋内外方向の両側に設けている止水材８によって排水溝５に流入した結露水が溝外に漏洩するのを防止することができる。
請求項４の発明においは、請求項２又は３の構成に加えて、ガラス１が上下及び左右に複数枚配設され、建物１階のガラス１の下辺のガスケット２の当接シール面３を建物１階の土台枠９に面接させ、当接シール面３に形成した凹溝４の長さ方向における一部分と対向する土台枠９部分に外部への排水手段７となる水抜き孔１０を形成していることを特徴とするものである。
このような構成によれば、請求項２又３の作用効果に加えて、ガラス壁の建物１階のガラス１の下辺のガスケット２が土台枠９に面接されてガスケット２の凹溝４と土台枠９との間に実質的な排水溝５を形成することができ、このような排水溝５に流入した上階よりの結露水を土台枠９の一部に形成した水抜き孔１０より円滑に外部に排水することができる。
請求項５の発明においは、請求項２又３の構成に加えて、ガスケット２は、ガラス１の端面１ａと端部表面１ｂを覆って断面が略Ｌ型で環状となり、かつ、当接シール面３を形成している外部ガスケット２ａと、ガラス１の端部内面１ｃを覆って環状となる内部ガスケット２ｂとで構成し、外部ガスケット２ａをガラス１の端部表面１ｂに当接させて外部ガスケット２ａを開口枠１１に保持し、開口枠１１とガラス１の端部内面１ｃとの間に内部ガスケット２ｂを介装して開口枠１１にガラス１を内外部ガスケット２ｂ、２ａにて保持していることを特徴とするものである。
このような構成によれば、請求項２又３の作用効果に加えて、ガラス１の端部表面１ｂが開口枠１１に保持した外部ガスケット２ａに当接し、開口枠１１とガラス１の端部内面１ｃとの間に内部ガスケット２ｂを介装することで、開口枠１１にガラス１を保持することができ、この場合、外部ガスケット２ａには当接シール面３が形成されていて、開口枠１１を建物構造材の設定位置に組み付けることで、ガラス１の周部に沿設されているガスケット２、２の当接シール面３、３を弾接させてガスケット２、２間に排水溝５を形成することができ、ガラス１及び開口枠１１の施工に伴って排水溝５の形成も同時におこなえ、排水構造を含めた施工性を高めることができる。
請求項６の発明においは、請求項５の構成に加えて、ガラス１の下辺のガスケット２の内部ガスケット２ｂと開口枠１１の下横枠２９の上面部にて結露水溜まり１２を形成していることを特徴とするものである。
このような構成によれば、請求項５の作用効果に加えて、結露水溜まり１２が内部ガスケット２ｂと開口枠１１の下横枠２９の上面部にて形成していて、ガラス１の屋内面に結露した結露水を結露水溜まり１２に円滑に集めることができる。
【発明の効果】
【０００６】
要するに本発明においは、ガラスの屋内面側に生じた結露水はガスケットに形成した導入路よりガスケットの当接シール面間の排水溝へと導入され、排水溝より排水手段をへて外部に排水することができ、接続するガラス間の水密シールを図るガスケットを有効に利用して、ガラス壁の屋内側の結露水を良好に排水することができる。
【発明を実施するための最良の形態】
【０００７】
以下、本発明を添付図面に示す実施の形態に基いて説明する。図１は縦断面を示し、図２（ａ）のＸ−Ｘ線断面図である。図２（ａ）はガラス壁の正面図、同図（ｂ）は部分拡大図である。図３は水平断面を示し、図２（ａ）のＹ−Ｙ線断面図である。
【０００８】
本発明のガラス壁の結露水の排水構造は、ビルなどの外壁として施工されるガラス壁１３のガラス１、１間の水密シールを図るガスケット２、２を利用して構成されるものであり、ガラス壁１３の屋内全域における結露水の排水をシステム的に集めて建物１階より屋外部に円滑に排水することができるようにしている。以下、詳述する。
【０００９】
図１乃至図３に示すように、建物の１階から最上階にわたって方立１４が横方向に間隔を隔てて立設され、隣接する方立１４、１４間の水平方向に無目１５が接続金具１６を介してボルト１７にて接続されてガラス壁１３の壁下地を構成している。
【００１０】
アルミ型材製で略ロ字状に組み合わせた内周枠１８に外周枠１９を組み付けて略ロ字状の開口枠１１を形成している。外周枠１９には受片２１を屋外側に延出し、受片２１の基端部には凹所２２を形成している。ガスケット２は、水密シール材にて形成され、ガラス１の端面１ａと端部表面１ｂを覆って断面が略Ｌ型で環状となり、かつ、当接シール面３を形成している外部ガスケット２ａと、ガラス１の端部内面１ｃを覆って環状となる内部ガスケット２ｂとで構成している。
外部ガスケット２ａの内外中間部分の内面には凹部２３を形成している。外部ガスケット２ａの外面には当接シール面３を形成している。当接シール面３にガスケット２の全長にわたって凹溝４を形成している。
【００１１】
環状の外部ガスケット２ａが環状の外周枠１９の外周に弾性復元力を利用して装着して外部ガスケット２ａを外周枠１９に組み付けるのであり、この場合、外周枠１９の受片２１が外部ガスケット２ａの凹部２３に嵌入し、受片２１の基端部の凹所２２に外部ガスケット２ａの凸部２４が挿入されて外部ガスケット２ａを外周枠１９に外れないように保持させているのである。更に、内部ガスケット２ｂが内周枠１８とガラス１の内面の間に介挿されるのである。このようにして、開口枠１１にガラス１を内外部ガスケット２ｂ、２ａにて保持（挟持）してガラス枠ユニット２５を構成している。この場合、ガラス１は複層ガラスであっても、図４及び図５に示すように、単板ガラスであってもよい。
【００１２】
ガラス枠ユニット２５において、開口枠１１の下横枠２９となる内周枠１８と内部ガスケット２ｂとによって結露水溜まり１２を形成し、例えばフェルト２６を敷いて保水するようにしている。又、下横枠２９となる内外周枠１８、１９には水抜き孔１０を形成し、更に、ガラス１の下辺の外部ガスケット２ａを貫通して凹溝４に達する導水路６を穿設している。
このような構成によれば、クレーン作業などによって、ガラス枠ユニット２５を開口枠１１において建物構造材で壁下地である方立１４にボルト２７（図３参照）で、無目１５にボルト２８（図１参照）にて設定位置に組み付けるのであり、このようなガラス枠ユニット２５の建て込み作業において、ガラス１の周部に沿設されているガスケット２、２の当接シール面３、３を弾接させてガスケット２、２間に対向する凹溝４、４によって排水溝５を形成するのであり、ガラス枠ユニット２５の施工に伴って排水溝５の形成も同時におこなえるのである。更に、上下左右に多数枚配設されるガラス１…間のガスケット２…の内部には縦横に排水溝５…を連通して形成することができるのである。
組み上げられたガラス壁１３においては、各階のガラス枠ユニット２５のガラス１の屋内面側に生じた結露水は結露水溜まり１２に集まり、外部ガスケット２ａに穿設した導入路６よりガスケット２、２の当接シール面３、３間の排水溝５へと導入されるのであり、このように、導入されたガラス壁１３の全域の結露水は上下左右に配設されているガラス１…間のガスケット２…の内部の縦横の排水溝５…によって建物１階のガラス１の下辺へと集められるのである。
図４に示すように、建物１階の土台枠９には建物１階に建て込んだガラス枠ユニット２５のガラス１の下辺の外部ガスケット２ａの当接シール面３が面接して凹溝４において実質的な排水溝５を形成している。このような排水溝５に流入した上階よりの結露水を土台枠９の一部に形成した水抜き孔１０より円滑に外部に排水することができ、このようにして、ガラス壁１３の結露水をシステム的に排水することができるのである。
ところで、ガスケット２の当接シール面３に形成した凹溝４の屋内外方向の両側部にガスケット２に比べて水密シール性の高い止水材８（例えば、シリコンゴム製）を設けていて、排水溝５の屋内外方向の両側に設けている止水材８によって排水溝５に流入した結露水が溝外に漏洩するのを防止することができるのである。
尚、図４乃至図７に示すように、ガスケット２の当接シール面３の凹溝４を円弧状に形成し、当接シール面３、３を当設させて対向する凹溝４、４にて形成する排水溝５を略円形になるようにしてもよいものである。
【図面の簡単な説明】
【００１３】
【図１】本発明の実施の一形態の縦断面を示し、図２（ａ）のＸ−Ｘ線断面図である。
【図２】（ａ）は同上のガラス壁の正面図、（ｂ）は部分拡大図である。
【図３】同上の水平断面を示し、図２（ａ）のＹ−Ｙ線断面図である。
【図４】同上のガスケットの他の実施の形態を使用し、一部破断した縦断面図である。
【図５】同上のガラス壁の横方向の端部の水平断面図である。
【図６】同上の縦断面図である。
【図７】同上の水平断面図である。
【符号の説明】
【００１４】
１    ガラス
２    ガスケット
３    当接シール面
４    凹溝
５    排水溝
６    導入路
７    排水手段
８    止水材
１０  水抜き孔
１１  開口枠
１２  結露水溜まり
２９  下横枠
【図１】
2005113378.tif 000003
【図２】
2005113378.tif 000004
【図３】
2005113378.tif 000005
【図４】
2005113378.tif 000006
【図５】
2005113378.tif 000007
【図６】
2005113378.tif 000008
【図７】
2005113378.tif 000009